(57)【要約】【課題】容量の小さなライトであっても照明箇所を十分明るく照らすことができ、ライトを小型化することができる電動工具を提供すること。【解決手段】略円筒形の胴体部２Ａと、該胴体部２Ａに側面視略Ｔ字状を成すよう連設されたハンドル部２Ｂを有するハウジング２と、該ハウジング２の前記胴体部２Ａの一部を成して該胴体部２Ａの先端に取り付けられた略円筒状のハンマケース（ケース）３を備え、伝達機構部と前記ハンマケース３内に収納するとともに、モータへの電力の供給を制御するトリガ６を前記ハンドル部２Ｂに設けて成るインパクトドライバ（電動工具）１において、前記ハンマケース３外周の前記トリガ６よりも前方且つ該ハンマケース３先端のガイドスリーブ３ａよりも後方の位置にリブ３ｂを突設し、該リブ３ｂにホルダ部材２５を取り付けるとともに、該ホルダ部材２５にライト１５を取り付ける。【選択図】図３
2008062344.tif 000002
【特許請求の範囲】
【請求項１】
前後方向に延びる略円筒形の胴体部と該胴体部に側面視略Ｔ字状を成すよう連設されたハンドル部を有するハウジングと、該ハウジングの前記胴体部の一部を成して該胴体部の先端に取り付けられた略円筒状のケースを備え、駆動源であるモータの回転を伝達する伝達機構部と、該伝達機構部から伝達される回転を回転打撃力に変換する打撃機構部を前記ケース内に収納するとともに、前記モータへの電力の供給を制御するトリガを前記ハンドル部に設けて成る電動工具において、
前記ケース外周の前記トリガよりも前方且つ該ケース先端のガイドスリーブよりも後方の位置にリブを突設し、該リブにホルダ部材を取り付けるとともに、該ホルダ部材にライトを取り付けたことを特徴とする電動工具。
【請求項２】
前記ライトを、基板に配置されたチップＬＥＤで構成し、前記基板を前記ホルダに差し込んで保持することによって、該基板に配置された前記チップＬＥＤを前記ホルダに取り付けたことを特徴とする請求項１記載の電動工具。
【請求項３】
前記ホルダ部材の側部に水平な嵌合溝を上下に２つ形成し、これらの嵌合溝に、前記基板から延びる２本のリード線を嵌め込んで配線したことを特徴とする請求項２記載の電動工具。
【請求項４】
前記ホルダ部材を、前記ケースに突設されたリブにビス結合によって取り付けたことを特徴とする請求項１〜３の何れかに記載の電動工具。
【請求項５】
前記ホルダ部材を、前記ケースに突設されたリブに嵌合によって取り付けたことを特徴とする請求項１〜３の何れかに記載の電動工具。
【請求項６】
前記ホルダ部材を、前記ケースを覆うプロテクタに嵌め込んで保持したことを特徴とする請求項５記載の電動工具。
【発明の詳細な説明】
【技術分野】
【０００１】
本発明は、照明用のライトを備えた電動工具に関するものである。
【背景技術】
【０００２】
例えばインパクトドライバ等の電動工具を用いて作業を行う場合、作業環境が屋根裏や床下等の光が届かない暗所である場合には先端工具や被締付材が見えず、作業を行うことができない。
【０００３】
そこで、先端工具や被締付材に向かって光を照射するライトを電動工具に取り付ける提案が種々なされている。例えば、ハウジングのトリガの真上にライトを配置する提案が成されており（特許文献１参照）、これによれば、作業者がハンドル部を握って作業を行う場合に指先がライトに当たることがないため、作業性が害されることがない。
【特許文献１】特開２００３−２１１３７４号公報（図１１及び図１２）
【発明の開示】
【発明が解決しようとする課題】
【０００４】
しかしながら、特許文献１に提案されているようにハウジングのトリガの真上にライトを配置した場合、ライトと被締付材との距離が長くなるため、被締付材を十分明るく照らすためにライトに必要とされる照度が高くなり、ライトの容量が大きくなって大型化するという問題があった。
【０００５】
本発明は上記問題に鑑みてなされたもので、その目的とする処は、容量の小さなライトであっても照明箇所を十分明るく照らすことができ、ライトを小型化することができる電動工具を提供することにある。
【課題を解決するための手段】
【０００６】
上記目的を達成するため、請求項１記載の発明は、前後方向に延びる略円筒形の胴体部と該胴体部に側面視略Ｔ字状を成すよう連設されたハンドル部を有するハウジングと、該ハウジングの前記胴体部の一部を成して該胴体部の先端に取り付けられた略円筒状のケースを備え、駆動源であるモータの回転を伝達する伝達機構部と、該伝達機構部から伝達される回転を回転打撃力に変換する打撃機構部を前記ケース内に収納するとともに、前記モータへの電力の供給を制御するトリガを前記ハンドル部に設けて成る電動工具において、前記ケース外周の前記トリガよりも前方且つ該ケース先端のガイドスリーブよりも後方の位置にリブを突設し、該リブにホルダ部材を取り付けるとともに、該ホルダ部材にライトを取り付けたことを特徴とする。
【０００７】
請求項２記載の発明は、請求項１記載の発明において、前記ライトを基板に配置されたチップＬＥＤで構成し、前記基板を、前記ホルダに差し込んで保持することによって、該基板に配置された前記チップＬＥＤを前記ホルダに取り付けたことを特徴とする。
【０００８】
請求項３記載の発明は、請求項２記載の発明において、前記ホルダ部材の側部に水平な嵌合溝を上下に２つ形成し、これらの嵌合溝に、前記基板から延びる２本のリード線を嵌め込んで配線したことを特徴とする。
【０００９】
請求項４記載の発明は、請求項１〜３の何れかに記載の発明において、前記ホルダ部材を、前記ケースに突設されたリブにビス結合によって取り付けたことを特徴とする。
【００１０】
請求項５記載の発明は、請求項１〜３の何れかに記載の発明において、前記ホルダ部材を、前記ケースに突設されたリブに嵌合によって取り付けたことを特徴とする。
【００１１】
請求項６記載の発明は、請求項５記載の発明において、前記ホルダ部材を、前記ケースを覆うプロテクタに嵌め込んで保持したことを特徴とする。
【発明の効果】
【００１２】
請求項１記載の発明によれば、ケース外周のトリガよりも前方且つ該ケース先端のガイドスリーブよりも後方の位置に突設されたリブにホルダ部材を介してライトを取り付けたため、ライトが被照明箇所により近くなり、容量が小さくて小さなライトで被照明箇所を十分明るく照らすことができ、ライトの小型・コンパクト化を図ることができる。
【００１３】
請求項２記載の発明によれば、基板をホルダ部材に差し込むだけで小さなチップＬＥＤをホルダ部材に簡単に取り付けることができる。
【００１４】
請求項３記載の発明によれば、ホルダ部材に差し込まれた基板から延びるリード線をホルダ部材の側部に形成された嵌合溝に嵌め込むことによって、基板のホルダ部材からの浮き上がりが防がれるため、基板をホルダ部材に取り付けるためのネジ等の締結部材が不要となり、部品点数の削減とコストダウンを図ることができる。
【００１５】
請求項４記載の発明によれば、ホルダ部材をビス結合によってケースのリブに確実に取り付けることができる。
【００１６】
請求項５記載の発明によれば、ホルダ部材をケースのリブに嵌合によってワンタッチで容易に取り付けることができる。
【００１７】
請求項６記載の発明によれば、ケースのリブに嵌合によって取り付けられたホルダ部材をプロテクタによって確実に保持することができ、該ホルダ部材のリブからの脱落を確実に防ぐことができる。
【発明を実施するための最良の形態】
【００１８】
以下に本発明の実施の形態を添付図面に基づいて説明する。
【００１９】
＜実施の形態１＞
図１は本発明に係る電動工具の一形態としてのインパクトドライバの斜視図、図２は同インパクトドライバの内部構造を示す右側断面図、図３は同インパクトドライバのプロテクタを外した状態を示す斜視図である。
【００２０】
先ず、本発明に係るインパクトドライバ１の基本構成と作用を図１〜図３に基づいて説明すると、図示のインパクトドライバ１は、外形を形成する外枠であるハウジング２とハンマケース３（図２参照）を有しており、ハウジング２は、前後方向に延びる略円筒形の胴体部２Ａと、該胴体部２Ａに側面視略Ｔ字状を成すように連設されたハンドル部２Ｂで構成されている。ここで、前記ハンマケース３は、アルミニウム合金製の略円筒状の部材であって、ハウジング２の先端部に設けられてハウジング２の胴体部２Ａの一部を構成している。
【００２１】
そして、上記ハウジング２の胴体部２Ａの内部には、図２に示すように、駆動源であるモータ４が収容され、前記ハンマケース３の内部には、モータ４の回転を減速させる減速機構部としての遊星歯車機構５と、該遊星歯車機構５によって減速されたモータ４の回転を回転打撃力に変換して不図示の先端工具に伝達する打撃機構部が収容されている。尚、打撃機構部の詳細は後述する。
【００２２】
又、ハウジング２のハンドル部２Ｂの内部には、上部にトリガ６を有するスイッチ７が設けられ、その下方には切換レバー８が設けられている。又、ハンドル部２Ｂの内部の下部は、バッテリ受け部９と基板１０及びリードワイヤー１１，１２が収容されており、ハンドル部２Ｂの下端には充電可能な電源であるバッテリ１３が着脱可能に装着されている。ここで、バッテリ１３からモータ４への給電は、２本のリードワイヤー１１からスチッチ７及びＦＥＴ１４を経てなされ、前記ハンマケース３の先端下部に取り付けられた照明用のライト１５への給電は、バッテリ１３から基板１０及び２本のリードワイヤー１２を経てなされる。
【００２３】
而して、斯かるインパクトドライバ１において、作業者がトリガ６をＯＮ操作してモータ４を起動すると、該モータ４の出力軸（モータ軸）４ａの回転は、遊星歯車機構５によって減速されてスピンドル１６に伝達され、該スピンドル１６が所定の速度で回転駆動される。ここで、スピンドル１６とハンマ１７とはカム機構によって連結されており、このカム機構は、スピンドル１６の外周面に形成されたＶ字状のスピンドルカム溝１６ａとハンマ１７の内周面に形成されたＶ字状のハンマカム溝１７ａ及びこれらのカム溝１６ａ，１７ａに係合するボール１８で構成されている。
【００２４】
又、上記ハンマ１７は、スプリング１９によって常に先端方向（図２の右方）に付勢されており、静止時にはボール１８とカム溝１６ａ，１７ａとの係合によってアンビル２０の端面と隙間を隔てた位置にある。そして、ハンマ１７とアンビル２０の相対向する回転平面上の２箇所には凸部がそれぞれ対称的に形成されている。尚、アンビル２０には不図示の先端工具が着脱可能に装着されている。
【００２５】
ところで、前述のようにスピンドル１６が所定の速度で回転駆動されると、このスピンドル１６の回転は、前記カム機構を介してハンマ１７に伝達され、該ハンマ１７が半回転しないうちに、該ハンマ１７の凸部がアンビル２０の凸部に係合して該アンビル２０が回転されるが、そのときの係合反力によってハンマ１７とスプリング１９との間に相対回転が生ずると、ハンマ１７は、カム機構のスピンドルカム溝１６ａに沿ってスプリング１９を圧縮しながらモータ４側へと後退を始める。
【００２６】
そして、ハンマ１７の後退動によって該ハンマ１７の凸部がアンビル２０の凸部を乗り越えて両者の係合が解除されると、ハンマ１７は、スピンドル１６の回転力に加えて、スプリング１９に蓄積された弾性エネルギーとカム機構の作用によって回転方向及び前方に急速に加速されつつ、スプリング１９の付勢力によって前方へと移動し、その凸部がアンビル２０の凸部に再び係合して一体的に回転し始める。このとき、強力な回転打撃力がアンビル２０に加えられるため、該アンビル２０に装着された先端工具を介して不図示のネジに回転打撃力が伝達される。
【００２７】
以後、同様の動作が繰り返されて先端工具からネジに回転打撃力が間欠的に繰り返し伝達され、ネジが木材等の不図示の被締付材にねじ込まれる。
【００２８】
ところで、前記ライト１５は、図２及び図３に示すように、ハンマケース３の外周下部のトリガ６よりも前方且つ該ハンマケース３先端のガイドスリーブ３ａよりも後方の位置に取り付けられている。そして、このライト１５とハンマケース３の外周は、図１及び図２に示すように、エラストマ等の軟質材から成る略円筒状のプロテクタ２１によって覆われており、このプロテクタ２１は、ゴム等の弾性体から成るリング状のストッパ２２によってハンマケース３に固定されている。
【００２９】
次に、前記ライト１５の取付構造の詳細を図４〜図９に基づいて説明する。
【００３０】
図４はライトが取り付けられたハンマケースの斜視図、図５はライトのハンマケースへの取付構造を示す分解斜視図、図６は図４の矢視Ａ方向の図、図７は図４の矢視Ｂ方向の図、図８は図６のＣ−Ｃ線断面図、図９はホルダ部材の斜視図である。
【００３１】
図５に示すように、ハンマケース３の前端下部、具体的にはトリガ６よりも前方且つ該ハンマケース３先端のガイドスリーブ３ａよりも後方の位置にはリブ３ｂが一体に突設されており、このリブ３ｂにはネジ孔３ｂ−１が横方向に貫設されている。
【００３２】
ところで、ライト１５は、図５に示すように、薄い矩形プレート状の基板２３に配置されたチップＬＥＤ２４で構成されており、基板２３の背面の上下からは前記２本のリード線１２が水平に延びている。
【００３３】
而して、ライト１５は、基板２３をホルダ部材２５に上方から差し込んで固定保持した後、図４、図６及び図８に示すように、ホルダ部材２５をビス２６によって前記リブ３ｂに取り付けることによってハンマケース３の前端下部に取り付けられる。
【００３４】
ここで、上記ホルダ部材２５は、アクリル等の透明な樹脂で一体成形されており、そのブロック状の本体部２５Ａには、上方が開口する矩形状の収納空間２５ａと幅の狭い横方向に長いスリット状の嵌合溝２５ｂが形成されている。又、本体部２５Ａの背面からは左右２本の二股状の脚部２５Ｂ，２５Ｃが後方に向かって一体に突設されており、一方の脚部２５Ｂには円孔２５ｃが横方向に貫設されている。
【００３５】
更に、図９に示すように、他方の脚部２５Ｃの端部にはＬ字状に屈曲するの保持部２５ｄが一体に形成されており、この保持部２５ｄの側端面の上下には前後方向に水平に延びる２つの嵌合溝２５ｄ−１が形成されている。
【００３６】
而して、ライト１５を構成するチップＬＥＤ２４は、図５に示すように、基板２３をホルダ部材２５のスリット状の前記嵌合溝２５ｂに上から差し込んで嵌め込むことによって、ホルダ部材２５の収納空間２５ａに収納された状態でホルダ部材２５に取り付けられる。
【００３７】
そして、基板２３と共にチップＬＥＤ２４を保持して成るホルダ部材２５の二股状の脚部２５Ｂ，２５Ｃの間にハンマケース３に突設された前記リブ３ｂを嵌め込み、該ホルダ部材２５の一方の脚部２５Ｂに形成された円孔２５ｃにビス２６を通し、このビス２６をハカマケース３のリブ３ｂに形成されたネジ孔３ｂ−１にネジ込むことによって、ライト１５を構成するチップＬＥＤ２４と基板２３がホルダ部材２５を介してハンマケース３のリブ３ｂに取り付けられる。
【００３８】
上述のようにライト１５がハンマケース３の前端下部に取り付けられると、基板２３かに延びる２本のリード線１２がホルダ部材２５の保持部２５ｄに形成された上下２つの嵌合溝２５ｄ−１（図９参照）にそれぞれ嵌め込まれて固定される（図７参照）。
【００３９】
以上において、当該インパクトドライバ１を用いて屋根裏や床下等の暗所で作業を行う場合には、不図示のスイッチをＯＮしてバッテリ１３から基板１０及びリード線１２を経てライト１５に通電すれば、チップＬＥＤ２４から照明光が不図示の先端工具と被締付材に照射されるため、作業を支障なく効率的に行うことができる。
【００４０】
而して、本発明に係るインパクトドライバ１においては、ハンマケース３の前端下部のトリガ６よりも前方且つ該ハンマケース３先端のガイドスリーブ３ａよりも後方の位置に突設されたリブ３ｂにホルダ部材２５を介してライト１５を取り付けたため、ライト１５が被照明箇所である先端工具と被締付材により近くなり、容量が小さくて小さなチップＬＥＤ２４で被照明箇所を十分明るく照らすことができ、ライト１５の小型・コンパクト化を図ることができる。
【００４１】
又、本発明によれば、基板２３をホルダ部材２５のスリット状の嵌合溝２５ｂに上方から差し込むだけで小さなチップＬＥＤ２４をホルダ部材２５に簡単に取り付けることができる。そして、ホルダ部材２５をハンマケース３のリブ３ｂにビス２６にて簡単且つ確実に取り付けることができる。
【００４２】
更に、本発明によれば、ホルダ部材２５に差し込まれた基板２３から延びる２本のリード線１２をホルダ部材２５の保持部２５ｄの側部に形成された上下２つの嵌合溝２５ｄ−１にそれぞれ嵌め込むことによって、基板２３のホルダ部材２５からの浮き上がりが防がれるため、基板２３をホルダ部材２５に取り付けるためのネジ等の締結部材が不要となり、部品点数の削減とコストダウンを図ることができる。
【００４３】
＜実施の形態２＞
次に、本発明の実施の形態２を図１０〜図１２に基づいて説明する。
【００４４】
図１０は本実施の形態に係るインパクトドライバ先端部の分解斜視図、図１１はライトが取り付けられたハンマケースの斜視図、図１２はライトのハンマケースへの取付構造を示す分解斜視図であり、これらの図においては図１〜図９に示したものと同一要素には同一符号を付している。
【００４５】
本実施の形態は、基板２３と共にチップＬＥＤ２４を保持して成るホルダ部材２５をハンマケース３のリブ３ｂに嵌合によって取り付けたことを特徴とする。即ち、図１２に示すホルダ部材２５の股状の脚部２５Ｂ，２５Ｃの間にハンマケース３に突設されたリブ３ｂを嵌め込みだけで、図１１に示すように、該ホルダ部材２５をワンタッチで容易にリブ３ｂに取り付けることができる。
【００４６】
そして、上述のようにハンマケース３のリブ３ｂに嵌合によって取り付けられたホルダ部材２５は、図１０に示すプロテクタ２１によって覆われて保持される。即ち、プロテクタ２１の下部には矩形箱状の袋状部２１ａが一体に突設されており、この袋状部２１ａの内底面には縦リブ状のガイド２１ｂが一体に突設されている。
【００４７】
而して、上記プロテクタ２１の袋状部２１ａ内に、ハンマケース３のリブ３ｂに嵌合によって取り付けられたホルダ部材２５をガイド２１ｂに沿って嵌め込めば、該ホルダ部材２５がプロテクタ２１の袋状部２１ａによって覆われて保持され、その下面はガイド２１ｂによって受けられて支持される。
【００４８】
従って、本実施の形態では、前記実施の形態１と同様の効果が得られる他、ホルダ部材２５をハンマケース３のリブ３ｂに嵌合によってワンタッチで容易に取り付けることができるとともに、このホルダ部材２５をプロテクタ２１によって確実に保持することができ、該ホルダ部材２５のリブ３ｂからの脱落を確実に防ぐことができるという効果が得られる。
【００４９】
尚、以上は本発明を特に充電式のバッテリを備えるコードレスのインパクトドライバに適用した形態について説明したが、コード付きのインパクトドライバに対しても本発明を同様に適用することができる。又、本発明は、インパクトドライバだけに適用が限定される訳ではなく、釘打機等の他の任意の電動工具に対しても幅広く適用可能であることは勿論である。
【図面の簡単な説明】
【００５０】
【図１】本発明の実施の形態１に係るインパクトドライバの斜視図である。
【図２】本発明の実施の形態１に係るインパクトドライバの内部構造を示す右側断面図である。
【図３】本発明の実施の形態１に係るインパクトドライバのプロテクタを外した状態を示す斜視図である。
【図４】本発明の実施の形態１に係るインパクトドライバのライトが取り付けられたハンマケースの斜視図である。
【図５】本発明の実施の形態１に係るインパクトドライバにおけるライトのハンマケースへの取付構造を示す分解斜視図である。
【図６】図４の矢視Ａ方向の図である。
【図７】図４の矢視Ｂ方向の図である。
【図８】図６のＣ−Ｃ線断面図である。
【図９】ホルダ部材の斜視図である。
【図１０】本発明の実施の形態２に係るインパクトドライバ先端部の分解斜視図である。
【図１１】本発明の実施の形態２に係るインパクトドライバのライトが取り付けられたハンマケースの斜視図である。
【図１２】本発明の実施の形態２に係るインパクトドライバにおけるライトのハンマケースへの取付構造を示す分解斜視図である。
【符号の説明】
【００５１】
１              インパクトドライバ（電動工具）
２              ハウジング
２Ａ            ハウジングの胴体部
２Ｂ            ハウジングのハンドル部
３              ハンマケース
３ａ            ハンマケースのガイドスリーブ
３ｂ            ハンマケースのリブ
３ｂ−１        ネジ孔
４              モータ
４ａ            モータの出力軸（モータ軸）
５              遊星歯車機構（伝達機構部）
６              トリガ
７              スイッチ
８              切換レバー
９              バッテリ受け
１０            基板
１１，１２      リード線
１３            バッテリ
１４            ＦＥＴ
１５            ライト
１６            スピンドル
１６ａ          スピンドルカム溝
１７            ハンマ
１７ａ          ハンマカム溝
１８            ボール
１９            スプリング
２０            アンビル
２１            プロテクタ
２１ａ          プロテクタの袋状部
２１ｂ          袋状部のガイド
２２            ストッパ
２３            基板
２４            チップＬＥＤ
２５            ホルダ部材
２５Ａ          ホルダ部材の本体部
２５Ｂ，２５Ｃ  ホルダ部材の脚部
２５ａ          ホルダ部材の収納空間
２５ｂ          ホルダ部材の嵌合溝
２５ｃ          ホルダ部材の円孔
２５ｄ          ホルダ部材の保持部
２５ｄ−１      保持部に形成された嵌合溝
２６            ビス
【図１】
2008062344.tif 000003
【図２】
2008062344.tif 000004
【図３】
2008062344.tif 000005
【図４】
2008062344.tif 000006
【図５】
2008062344.tif 000007
【図６】
2008062344.tif 000008
【図７】
2008062344.tif 000009
【図８】
2008062344.tif 000010
【図９】
2008062344.tif 000011
【図１０】
2008062344.tif 000012
【図１１】
2008062344.tif 000013
【図１２】
2008062344.tif 000014